(57)【要約】【課題】撮像装置において、装置底面から三脚等に取り付けたままで、容易に、装置底面から電池等を挿脱可能にする。【解決手段】撮像装置１の筐体２の底部には、三脚又はその雲台等の止めねじを螺結可能な取付孔５を有する三脚座６と、筐体２に収納された電池５１等を覆い筐体２に対し開閉可能な電池蓋９とが設けられている。三脚座６は、筐体２に対し、筐体２の底面に略平行な水平方向にスライド可能に配置されている。三脚座６を三脚６０の雲台６１に取り付けた状態で、三脚座６を筐体２に対しスライドさせることにより、雲台６１に妨げられずに、電池蓋９を筐体２に対し回動させて開状態にすることができ、電池５１等を挿脱することができる。【選択図】図３
2009069380.tif 000002
【特許請求の範囲】
【請求項１】
三脚又は雲台の止めねじを螺結可能な取付孔を有する三脚座が底部に設けられた撮像装置であって、
前記三脚座は、該撮像装置の筐体に、所定の収納位置から所定のスライド位置まで、略水平方向にスライド可能に取り付けられていることを特徴とする撮像装置。
【請求項２】
前記筐体の底部のうち、前記三脚座が収納位置にあるとき前記取付孔の近傍となる部位に、筐体内部に収納された電池及び／又は記録カードを覆うように、開閉可能に取り付けられた開閉蓋を備え、
前記三脚座に三脚又は雲台が取り付けられた状態で、前記三脚座を前記収納位置から前記スライド位置まで前記筐体に対しスライドさせることにより、前記開閉蓋を前記三脚又は雲台に妨げられることなく開状態にすることができるように構成されていることを特徴とする請求項１記載の撮像装置。
【請求項３】
前記筐体の底部には、前記三脚座のスライド方向を長手方向とするように三脚座に向けて突出するように形成されたレール部が設けられており、
前記三脚座には、前記レール部に摺動可能に当接する摺接部が形成されており、
前記三脚座は、前記レール部に前記摺接部を摺接させながら前記レール部に沿ってスライド可能に構成されていることを特徴とする請求項１又は請求項２に記載の撮像装置。
【請求項４】
前記三脚座は、前記三脚座が前記スライド位置にあるとき、前記三脚座のスライド方向に対向する前記筐体の内面に当接するように突設されたストッパを有していることを特徴とする請求項３に記載の撮像装置。
【請求項５】
前記筐体の前記スライド方向の内側面には、前記三脚座に向け所定の凹凸形状を成すように形成された位置ロック部が設けられており、
前記三脚座のスライド方向側面には、前記位置ロック部に摺接するロック突起部が形成されていることを特徴とする請求項１乃至請求項４のいずれか一項に記載の撮像装置。
【発明の詳細な説明】
【技術分野】
【０００１】
本発明は、装置底面に三脚やその雲台等の止めねじを螺結可能な取付孔が設けられた撮像装置に関する。
【背景技術】
【０００２】
例えばスチルカメラや小型のビデオカメラ等の撮像装置としては、装置の電源となる電池やデータ保存用の記録カードが、筐体底面側から挿脱可能に、筐体内部に収納されているものがある。このような撮像装置においては、電池等の交換の際に開閉される電池蓋を、外観上比較的目立たない底面に設けることにより、装置外観の意匠を良好にすることができ、また、背面や上面、側面に、各種操作ボタン等をユーザが操作しやすく配置することができる。また、底面に、使用頻度の低い操作ボタンや、データ等の入出力等に用いられる入出力端子等が設けられているものもある。
【０００３】
ところで、一般に、撮像装置の筐体の底面には、三脚やその雲台等の止めねじを螺結可能な取付孔が設けられ、撮像装置を雲台に取付可能に構成されている。図７は、従来の撮像装置の三脚座８４の取付構造の一例を示す。三脚座８４は、取付孔８３を有しており、筐体８２の底面に螺結されており、取付孔８３は、筐体８２に対して固定されている。撮像装置は、例えば雲台上に撮像装置を載せて取付孔８３に雲台の止めねじを螺結することにより、三脚等に取り付けられる。
【０００４】
ここで、上記のように電池等を底面側から挿脱可能である撮像装置を三脚等に取り付けているとき、撮像装置が比較的小型であったり、雲台が大型なものであったりすると、雲台により電池蓋等の開閉が妨げられることがある。この場合、例えば電池の交換が必要になったときには、一旦、撮像装置を三脚等から取り外し、電池蓋等を開閉可能にして電池等を交換した後、再び撮像装置を三脚等に取り付ける作業を行うことが必要であり、電池交換や記録カード交換を行うことが面倒で時間がかかり、容易ではないという問題がある。また、底面に操作ボタン等が設けられているような撮像装置にあっては、撮像装置が三脚等に取り付けられているときには、その操作ボタン等を使用することができないという問題がある。
【０００５】
上記問題に関し、例えば特許文献１には、カメラ底面に設けたカメラ用電池を挿脱するための電池蓋等の領域を、三脚本体が被覆しないように形成されたカメラ用三脚が開示されている。この三脚を用いた場合には、三脚にカメラを取り付けた状態で電池交換をすることができる。しかしながら、撮像装置にこれとは別の汎用の三脚等を取り付けて使用するような場合には、電池蓋等の開閉が妨げられる場合があり、上記問題点を解決することができない。
【０００６】
また、特許文献２には、カメラを装着可能なクレードルを三脚に固定可能にし、クレードルを介してカメラを三脚に取り付け可能にしたカメラの三脚への取付構造が開示されている。この場合、容易に、カメラを三脚に着脱することができる。特許文献３には、カメラを装着可能なクレードルの四方の可動壁を外側に倒すことによって、支持脚部として機能させることが開示されている。このクレードルは、カメラを装着した状態でカメラに記録カードの着脱ができるように形成されている。しかしながら、これら特許文献２又は特許文献３では、カメラ本体の他に専用品のクレードルを用意することが必要であり、より多くの費用が必要となる。
【０００７】
なお、特許文献４には、カメラの取付孔に取付可能に構成され、カメラ本体に電源を供給可能なカメラ用補助電源が開示されている。また、特許文献５には、ビデオカメラの底部に取付ねじを用いてバッテリ収納ケースを取り付けることが開示されている。しかしながら、これら特許文献４及び特許文献５には、上記問題点に対し有効な解決策は開示されていない。
【特許文献１】特開平９−１２７６０２号公報
【特許文献２】特開２００３−３０４４３１号公報
【特許文献３】特開２００３−３２５２８号公報
【特許文献４】実登３０９５０３９号公報
【特許文献５】実開昭６０−３０４３４号公報
【発明の開示】
【発明が解決しようとする課題】
【０００８】
本発明は、上記問題点を鑑みてなされたものであり、装置底面から三脚等に取り付けたままで、容易に、装置底面からの電池等の挿脱や装置底面の操作ボタンの使用等をすることができる撮像装置を提供することを目的とする。
【課題を解決するための手段】
【０００９】
上記目的を達成するため、請求項１の発明は、三脚又は雲台の止めねじを螺結可能な取付孔を有する三脚座が底部に設けられた撮像装置であって、前記三脚座は、該撮像装置の筐体に、所定の収納位置から所定のスライド位置まで、略水平方向にスライド可能に取り付けられているものである。
【００１０】
請求項２の発明は、請求項１の発明において、前記筐体の底部のうち、前記三脚座が収納位置にあるとき前記取付孔の近傍となる部位に、筐体内部に収納された電池及び／又は記録カードを覆うように、開閉可能に取り付けられた開閉蓋を備え、前記三脚座に三脚又は雲台が取り付けられた状態で、前記三脚座を前記収納位置から前記スライド位置まで前記筐体に対しスライドさせることにより、前記開閉蓋を前記三脚又は雲台に妨げられることなく開状態にすることができるように構成されているものである。
【００１１】
請求項３の発明は、請求項１又は請求項２の発明において、前記筐体の底部には、前記三脚座のスライド方向を長手方向とするように三脚座に向けて突出するように形成されたレール部が設けられており、前記三脚座には、前記レール部に摺動可能に当接する摺接部が形成されており、前記三脚座は、前記レール部に前記摺接部を摺接させながら前記レール部に沿ってスライド可能に構成されているものである。
【００１２】
請求項４の発明は、請求項３の発明において、前記三脚座は、前記三脚座が前記スライド位置にあるとき、前記三脚座のスライド方向に対向する前記筐体の内面に当接するように突設されたストッパを有しているものである。
【００１３】
請求項５の発明は、請求項１乃至請求項４のいずれか一項の発明において、前記筐体の前記スライド方向の内側面には、前記三脚座に向け所定の凹凸形状を成すように形成された位置ロック部が設けられており、前記三脚座のスライド方向側面には、前記位置ロック部に摺接するロック突起部が形成されているものである。
【発明の効果】
【００１４】
請求項１の発明によれば、装置底面から三脚等に取り付けたとき、収納位置に三脚座が位置している状態で、その三脚等が、装置底面からの電池等の挿脱作業や、装置底面の操作ボタン等の操作等の妨げになるような場合であっても、三脚座をスライド位置にスライドさせることにより、三脚等に妨げられないようにして容易に上記作業や操作を行うことができる。クレードル等、撮像装置とは別の部品を用いずに、三脚等と共に撮像装置を便利に使用することができる。
【００１５】
請求項２の発明によれば、三脚座が三脚又は雲台に取り付けられた状態のままで、三脚又は雲台に妨げられることなく開閉蓋を開状態にすることができ、上述と同様に、容易に電池の挿脱作業や記録カードの挿脱作業を行うことができる。
【００１６】
請求項３の発明によれば、三脚座は、レール部に摺接部を摺接させながらスライドするので、三脚座を確実に且つスムーズにスライドさせることができる。
【００１７】
請求項４の発明によれば、三脚座をスライド位置にスライドさせたとき、ストッパが筐体の内面に当接するので、三脚座がスライド位置を超えてスライドしてしまうことがなくなる。従って、三脚座をスライドさせすぎて三脚座が筐体から脱落することを防止することができる。
【００１８】
請求項５の発明によれば、ロック突起部が位置ロック部に摺接するので、ユーザが三脚座をスライドさせるときに、所定位置においてユーザにクリック感が伝わり、それと共にその位置で三脚座が位置決めされる。従って、三脚座が確実に所定位置に位置するように三脚座をスライドさせることができ、三脚座をスライドさせるときの操作感触をより向上させることができる。
【発明を実施するための最良の形態】
【００１９】
以下、本発明の第１実施形態について図面を参照して説明する。図１及び図２は、本実施形態に係る撮像装置を示す。撮像装置１は、例えば、固体撮像素子により撮像した映像をディジタルデータとして記録カード５２に記録する機能を有する小型のビデオカメラである。撮像装置１は、撮像装置１の厚み方向に互いに分割された、前パネル３と背パネル４との２つの部材から構成された筐体２と、筐体２の底側部に配置され、後述するように、三脚又はその雲台等の止めねじを螺結可能な取付孔５を有する三脚座６と、筐体２の三脚座６が配置された側とは反対側の底側部に配置された電池蓋（開閉蓋）９とを備えている。図２に示すように、三脚座６は、筐体２に対し、筐体２の底面に略平行な水平方向にスライド可能に構成されている。電池蓋９は、その筐体２の底面の中央部側の部位で、撮像装置１の正面に直交する回動軸（図示せず）を中心に筐体２に対し回動可能に、筐体２の取付孔５の近傍部位に軸支されている。電池蓋９は、筐体２の内部に収納された電池５１と記録カード５２とを覆うように筐体２に取り付けられている。電池蓋９が筐体２に対し回動され開状態になると、図に示すように、電池５１及び記録カード５２が筐体２の外部に露出される。ユーザは、電池５１や記録カード５２の交換を、電池蓋９を開状態にし、電池５１や記録カード５２を筐体２の底面から筐体２に挿脱することにより行うことができる。
【００２０】
図３は、三脚座６の筐体２への取付構造を示す。三脚座６は、樹脂部材により、筐体２の底面と略平行な略平板形状に形成されている。三脚座６は、図１に示すように筐体２から外部に出っ張らず、筐体２と共に略直方体をなすような、所定の収納位置から、図２に示すように筐体２に対して側方に所定量だけずれた位置である所定のスライド位置まで、筐体２に対してスライド可能に取り付けられている。図３に示すように、三脚座６の上面のスライド方向両側部には、それぞれ、スライド方向が長手方向となり、先端部がそれに近接する前パネル３または背パネル４に向け折れ曲がるような鉤形断面を有する摺接部７が三脚座６に一体に形成されている。他方、前パネル３及び背パネル４のそれぞれの底部のうち、三脚座６が設けられている部位のスライド方向端縁部には、図に示すように、三脚座６のスライド方向が長手方向となるように摺接部７に向けて突出するレール部８が、それぞれ前パネル３又は背パネル４と一体に形成されている。三脚座６は、摺接部７がレール部８の上面に当接するように、前パネル３と背パネル４とに挟まれるようにして筐体２に配置される。三脚座６は、摺接部７をレール部８に摺接させながら、レール部８に沿って確実に且つスムーズに略水平方向にスライド可能である。
【００２１】
ここで、三脚座６の筐体２に対してスライド可能な範囲は、三脚座６の一部が筐体２に当接することにより規制されている。例えば、摺接部７は、その長手方向端部が、三脚座６が図２に示すようなスライド位置にあるとき、筐体２の内側面に当接するように構成されている。すなわち、三脚座６がスライド位置に向け筐体２の側方にスライドする場合には、三脚座６がスライド位置までスライドされると、摺接部７の端部が筐体２の内側面に当接する。このように摺接部７がスライド時のストッパとして機能することにより、三脚座６が筐体２に対しスライドしすぎて筐体２から脱落することがないように構成されている。他方、三脚座６が収納位置に向け上述とは逆方向にスライドする場合には、三脚座６が収納位置に位置する状態で、三脚座６の当該方向側端面が筐体２の端縁部に当接するように構成されている。従って、三脚座６のスライド可能範囲は、収納位置とスライド位置との間の範囲に規制されている。
【００２２】
図４（ａ）、（ｂ）は、三脚６０に取り付けられた状態の撮像装置１を示す。図４（ａ）に示すように、取付孔５に雲台６１の止めねじ６２を螺結することにより、撮像装置１は、三脚６０の雲台６１上に固定することが可能である。三脚座６が収納位置にある状態では、図に示すように、電池蓋９の下方に位置する雲台６１に妨げられるため、上述のように電池蓋９を開状態にすることができなくなる。しかし、第１実施形態においては、電池蓋９を開けるとき、図４（ｂ）に示すように、三脚座６を収納位置からスライド位置まで筐体２に対しスライドさせることにより、電池蓋９の下方に雲台６１がない状態にすることが可能である。このように三脚座６をスライドさせることにより、撮像装置１を三脚６０に取り付けたままで、雲台６１に妨げられることなく電池蓋９を筐体２に対し回動させて開状態にすることができ、電池５１や記録カード５２の筐体２の内部への挿脱等を容易に行うことができる。作業が終了し、電池蓋９を閉状態にした後には、三脚座６を収納位置まで上述とは逆方向にスライドさせることにより、再び、図４（ａ）に示すような通常使用時の状態に戻し、撮像装置１を三脚６０と共に用いることができる。
【００２３】
図５（ａ）、（ｂ）は、本発明の第２実施形態に係る撮像装置を示す。以下、第２実施形態に係る撮像装置３１について、第１実施形態の撮像装置１と同様の部材には同一の符号を付し、第１実施形態と相違する部分についてのみ説明する。撮像装置３１は、主に、三脚座３６にストッパ３６ａが形成されている点、及び、筐体２に位置ロック部（図６に図示）１０が設けられており、三脚座３６の位置を位置決めすることができるように構成されている点について、第１実施形態と相違する。撮像装置３１は、第１実施形態と同様に、図５（ａ）に示すような、三脚座３６が収納位置にある通常使用時の状態から、図５（ｂ）に示すように、三脚座３６がスライド位置に位置するように三脚座３６を筐体３２に対しスライドさせることにより、三脚６０に取り付けたままで電池蓋９を開状態にし、電池５１や記録カード５２を筐体３２へ挿脱することができるように構成されている。
【００２４】
図６は、三脚座３６の筐体３２への取付構造を示す。第２実施形態において、三脚座３６のスライド方向両側面には、スライド方向が長手方向となるように、溝形状の摺接部３７が形成されている。また、筐体３２を構成する前パネル３３及び背パネル３４には、スライド方向が長手方向となるように、摺接部３７に嵌り込み可能に三脚座３６に向けて突出するように形成されたレール部３８が設けられている。すなわち、三脚座３６は、レール部３８に摺接部３７を摺接させながら、レール部３８に沿って略水平方向にスライド可能に筐体３２に取り付けられている。図に示すように、三脚座３６の上面には、三脚座３６がスライド位置にあるとき、三脚座３６のスライド方向に対向する筐体３２の内側面に当接するように、例えば略平板状のストッパ３６ａが形成されている。ストッパ３６ａが設けられていることにより、三脚座３６をスライド位置にスライドさせたとき、ストッパ３６ａが筐体３２の内面に当接し、三脚座３６がスライド位置を超えてスライドしてしまうことがなくなる。従って、三脚座３６をスライドさせすぎて三脚座３６が筐体３２から脱落することが防止されている。
【００２５】
ここで、第２実施形態において、前パネル３３と背パネル３４のそれぞれの内側面には、三脚座３６の側方に位置するように、位置ロック部１０が形成されている。位置ロック部１０は、例えば、板金を曲げて形成された、三脚座３６に向けた方向にばね性を有するものであり、前パネル３３や背パネル３４に、例えば接着により取り付けられている。位置ロック部１０は、三脚座３６に対向する面の２カ所に凹部を有しており、三脚座３６に向け所定の凹凸形状を有するように形成されている。この２つの凹部は、後述するように、例えば収納位置にあるときの三脚座３６と、スライダ位置にあるときの三脚座３６とにそれぞれ対応する位置に設けられている。三脚座３６の側面には、位置ロック部１０に対向するように、ロック突起部３６ｂが形成されている。ロック突起部３６ｂは、三脚座３６がスライドするときに位置ロック部１０の三脚座３６に対向する面に摺接するように形成されており、位置ロック部１０に形成された凹部に嵌り込み可能な大きさに形成されている。
【００２６】
このように、第２実施形態においては、ユーザが三脚座３６をスライドさせ、三脚座３６が収納位置またはスライド位置に位置するときに、ロック突起部３６ｂが位置ロック部１０の凹部に嵌り込むことによりユーザにクリック感が伝わり、それと共にその位置で三脚座３６が位置決めされる。従って、三脚座３６が確実に収納位置又はスライド位置に位置するまで、三脚座３６をスライドさせ、三脚座３６をその位置で保持させることができる。また、三脚座３６をスライドさせるとき、所定の位置においてユーザがクリック感を感じることができるので、三脚座３６をスライドさせるときの操作感触をより向上させることができる。
【００２７】
なお、本発明は上記実施形態の構成に限定されるものではなく、発明の趣旨を変更しない範囲で適宜に種々の変形が可能である。例えば、電池蓋は、回動可能に筐体に取り付けられていなくてもよい。また、位置ロック部の凹凸形状は、三脚座のスライド方向に一定間隔に定められた所定位置において、クリック感を発生させるように形成されていてもよい。さらにまた、位置ロック部は、板金ではなく、例えば筐体と一体に形成されていてもよい。撮像装置は、ビデオカメラではなく、例えば、フィルムに画像を記録するスチルカメラ等であってもよい。
【００２８】
また、本発明は、電池を収納するための電池蓋に限らず、その他の部品を収納するために設けられた開閉蓋が装置底部に設けられている場合や、装置底部に操作ボタンや外部入出力機器と接続可能にする入出力コネクタ等が設けられている場合にも有効である。それらの場合であっても、三脚座を筐体に対しスライドさせることができるように構成することにより、上述と同様に、三脚に撮像装置を取り付けたままで、容易に、開閉蓋を開閉したり、操作ボタンや入出力コネクタ等を操作又は使用することが可能になる。
【図面の簡単な説明】
【００２９】
【図１】本発明の第１実施形態に係る撮像装置の一例を示す斜視図。
【図２】三脚座をスライドさせた状態の上記装置を示す斜視図。
【図３】上記装置の三脚座の取付構造を示す斜視図。
【図４】（ａ）は上記装置とそれが取り付けられた三脚を示す正面図、（ｂ）は三脚に取り付けられた三脚座をスライドさせた状態の同装置を示す正面図。
【図５】（ａ）は本発明の第２実施形態に係る撮像装置とそれが取り付けられた三脚の一例を示す斜視図、（ｂ）は三脚に取り付けられた三脚座をスライドさせた状態の同装置を示す正面図。
【図６】上記装置の三脚座の取付構造を示す斜視図。
【図７】従来の撮像装置の三脚座の取付構造の一例を示す斜視図。
【符号の説明】
【００３０】
１，３１  撮像装置
２，３２  筐体
５  取付孔
６，３６  三脚座
７，３７  摺接部
８，３８  レール部
９  電池蓋（開閉蓋）
１０  位置ロック部
３６ａ  ストッパ
３６ｂ  ロック突起部
５１  電池
５２  記録カード
６０  三脚
６１  雲台
６２  止めねじ
【図１】
2009069380.tif 000003
【図２】
2009069380.tif 000004
【図３】
2009069380.tif 000005
【図４】
2009069380.tif 000006
【図５】
2009069380.tif 000007
【図６】
2009069380.tif 000008
【図７】
2009069380.tif 000009